(57)【特許請求の範囲】
【請求項１】
エンジンキー（１）とキーシリンダ（２）と車両（Ｖ）に搭載された車両用処理装置（４）と拠点に設置され情報入出力装置を有する端末装置（３）とで構成され、車両（Ｖ）により行われる配送商品等の配送情報、受注情報等のデータを記録する情報記憶装置（ＫＳ）において、前記エンジンキー（１）にはデータを記録する記憶装置（１１）と、その記憶装置（１１）へデータを入力させて必要時にそのデータを出力させるデータ入出力装置（１２）と、前記記憶装置（１１）および前記データ入出力装置（１２）に安定電力を供給する電力安定装置（１０）と、外部電力を受電する接点（１３）と、前記データ入出力装置（１２）に連結された信号線の端部に設けられて外部と交信する接点（１５、１５）とが装着され、前記キーシリンダ（２）には、前記エンジンキー（１）とデータ信号を交信するデータ入出力装置（２５）と、エンジンキー（１）に電力を供給する電力供給装置（２４）と、その電力供給装置（２４）に連結された一対の電線の端末にそれぞれ設けられた接点（２６、２７）と、前記データ入出力装置（２５）に連結された一対の信号線の端末にそれぞれ設けられた接点（２８、２８）とが装着されており、前記車両用処理装置（４）は、車両に設けられたモニター付きパソコン（３０）と、そのパソコン（３０）に付設されたプリンタ（３１）と、前記パソコン（３１）とキーシリンダ（２）を連結する電線とで構成され、そしてその車両用処理装置（４）は、エンジンキー（１）がキーシリンダ（２）のアクセサリーＯＮ位置にて起動され、パソコン操作パネルのボタンの状態を読込み、要求する内容が記憶装置（１１）に記憶された内容の表示であるか否かを確認し、要求通りの内容の表示であれば記憶装置（１１）の記録内容をパソコン（３０）のモニターに表示し、要求する内容が記憶装置（１１）に記憶された内容の表示でない否の場合は記憶装置（１１）内の記憶内容を修正する要求の有無を確認し、修正要求があれば操作パネルの状態を読みながら記憶データを修正し、修正要求がなければ記録内容印刷の要求によって前記プリンタ（３１）で記憶装置（１１）の指定された記録内容を印字する機能を有していることを特徴とする情報記憶装置。
【発明の詳細な説明】
【０００１】
【発明の属する技術分野】
本発明は、車両によって行う配送商品等の配送情報、受注情報等のデータを記録する情報記憶装置に関する。
【０００２】
【従来の技術】
従来、車両の運行管理データを記録する媒体として、特開平７ー７２０４３号公報の開示技術ではＩＣカードを記録媒体にしたものがある。また、特開平７ー１５０８３５号公報の開示技術では運転免許証にＩＣメモリー機能をもたせたものなどが知られている。しかし、これらの技術は、車両自体の運行記録を収集して管理データを作成するもので、配送商品等の情報記録を扱うものではなかった。また、宅配等に使用される配送品の授受用の携帯端末は、ドライバの入力と管理にゆだねられていて、内容や入出力時間にも限度があった。
【０００３】
【発明が解決しようとする課題】
本発明は上述した従来技術の問題点に鑑みて提案されたものであり、車両運行の拠点と集配場所例えば、商品扱いの営業所、納品場所、自動販売機等に対する納品、受注の情報の記録及び納品書、受領書、注文書等の発行を行えてかつ、これら基本データを正確に記録しかつ、小型で持運び及び扱いが容易な情報記憶装置を提供することを目的としている。
【０００４】
本発明の情報記憶装置は、エンジンキー１とキーシリンダ２と車両Ｖに搭載された車両用処理装置４と拠点に設置され情報入出力装置を有する端末装置３とで構成され、車両Ｖにより行われる配送商品等の配送情報、受注情報等のデータを記録する情報記憶装置ＫＳにおいて、前記エンジンキー１にはデータを記録する記憶装置１１と、その記憶装置１１へデータを入力させて必要時にそのデータを出力させるデータ入出力装置１２と、前記記憶装置１１および前記データ入出力装置１２に安定電力を供給する電力安定装置１０と、外部電力を受電する接点１３と、前記データ入出力装置１２に連結された信号線の端部に設けられて外部と交信する接点１５、１５とが装着され、前記キーシリンダ２には、前記エンジンキー１とデータ信号を交信するデータ入出力装置２５と、エンジンキー１に電力を供給する電力供給装置２４と、その電力供給装置２４に連結された一対の電線の端末にそれぞれ設けられた接点２６、２７と、前記データ入出力装置２５に連結された一対の信号線の端末にそれぞれ設けられた接点２８、２８とが装着されており、前記車両用処理装置４は、車両に設けられたモニター付きパソコン３０と、そのパソコン３０に付設されたプリンタ３１と、前記パソコン３１とキーシリンダ２を連結する電線とで構成され、そしてその車両用処理装置４は、エンジンキー１がキーシリンダ２のアクセサリーＯＮ位置にて起動され、パソコン操作パネルのボタンの状態を読込み、要求する内容が記憶装置１１に記憶された内容の表示であるか否かを確認し、要求通りの内容の表示であれば記憶装置１１の記録内容をパソコン３０のモニターに表示し、要求する内容が記憶装置１１に記憶された内容の表示でない否の場合は記憶装置１１内の記憶内容を修正する要求の有無を確認し、修正要求があれば操作パネルの状態を読みながら記憶データを修正し、修正要求がなければ記録内容印刷の要求によって前記プリンタ３１で記憶装置１１の指定された記録内容を印字する機能を有している。
【０００５】
この発明によれば、車両のエンジンキーの記憶装置に配送指示情報を与え、また、配送拠点からの発注情報をエンジンキーの記憶装置に記録させることで、情報の伝達集約が正確容易に行われ、これら基本データの持運び及び扱いが容易な小型にできる。
【０００６】
受電接点と送電接点は、電磁結合によって非接触送電、送信されることが好ましい。これによれば、接触端子の不良による送電停止や電圧変動、ノイズ混入等が避けられる。また、前記エンジンキーに装着されたデータ入出力接点と前記キーシリンダに装着されたデータ入出力接点とは光結合によって交信されることが好ましい。これによれば、交信密度が高く、多量のデータが交信できる。
【００１１】
【発明の実施の形態】
以下図面を参照して本発明の情報記憶装置の実施の形態を説明する。図１に、符号ＫＳで本発明全体を総称する情報記憶装置のブロック構成を示す。この情報記憶装置ＫＳは、エンジンキー（以降、キーと略記する。）１と、キーシリンダ（以降、シリンダと略記する。）２と、各拠点に設けられた端末装置３（端末装置の総称を符号３で表す。）と、車両Ｖに搭載された車両用処理装置４、とで主要構成がされている。
【００１２】
キー１は、図２に示すように、４角平板状のヘッド部１８と、平板状の挿入部１９とで外形形状が形成されている。ヘッド部１８には、配送に関する基本データ例えば、配送納品情報、受注品情報、その他のデータを入力し、記憶し、出力する、等の各種機能装置及び電力供給装置等が装着されている。これらの各種機能装置は、シリンダ２からの受電機能を有する受電接点１３、接地用接点１４、キー１内の電力を安定に配電する電力安定装置１０、データの記憶装置１１、信号及びデータを交信させるデータ入出力装置１２、入出力データの授受をする２ヶの接点１５等で構成されている。
【００１３】
受電接点１３は電線１３ａを介して、接地用接点１４は電線１４ａを介してそれぞれ電力安定装置１０に接続されている。電力安定装置１０は、電線１０ａを介して記憶装置１１に、電線１０ｂを介してデータデータ入出力装置１２に配電するよう接続さている。また、記憶装置１１とデータ入出力装置１２とは電線１２ａを介して接続されている。接点１３の受電の方式は、非接触形の電磁結合等であってもよい。また、接点１５も、電磁結合等による非接触方式でも良い。
【００１４】
電力安定装置１０は、受電接点１３を介して受電したシリンダ２側からの電力を電圧安定させる機能と、シリンダ２側からの受電不能対応用にバッテリ１６を内蔵させている。
【００１５】
記憶装置１３は、前記配送納品情報、受注品情報、その他のデータを入力し、記憶し、出力する記憶装置であってキー１に装着可能な極小チップでよい。
【００１６】
データ入出力装置１２は、記憶装置１１に外部データを記憶させ、また必要時に記憶装置１１から記憶データを外部に送る機能を有している。
【００１７】
シリンダ２は、通常のシリンダ機能であるエンジン始動、アクセサリ作動、作動停止等の機能を選択するように内蔵された明示しない回転部に、図３に示されるように、キー１の挿入部１９が嵌合するスリット２２が設けられている。その他に本発明固有の、電力供給装置２４と、データ入出力装置２５と、送電接点２６と、接地用接点２７と、情報交信用の一対の入、出力接点２８、とで構成されている。また、電力供給装置２４は、電線２６ａを介して接点２６に、電線２７ａを介して接地用接点２７ａに接続されている。また、データ入出力装置２５は、一対の電線２８ａを介して接点２８に接続されている。
【００１８】
各接点は、接点２６及び接地用接点２７が、キー１の接点１３及び接地用接点１４にそれぞれ対応する構成されいる。また、一対の接点２８がキー１側の接点１５に対応するよう構成されている。接点２６、２７は電磁結合でも良く、また接点２８は、電磁結合または光結合等の非接触接点でも良い。
【００１９】
電力供給装置２４は、明示していない車両電源からまたは各端末装置用電源を使用した供給装置から受電した電力を所定の電圧にしてキー１に送電するように構成されている。データ入出力装置２５は、キー１のデータ入出力装置１５と対になって車載のモニター等と交信するよう構成されている。なお、シリンダ２の通常のエンジンキーとしてのエンジン始動、アクセサリ作動等を選択する機能は、車両に装着される以外の端末装置３に使用するものではアクセサリＯＮ機能以外は不要である。
【００２０】
車両に搭載された車両用処理装置３Ａは、図４に示すように、納品及び集品車両Ｖの運転室に備えられたモニター付きパソコン３０と、それに付設されたプリンター３１と、パソコン３０とステアリングポストＳｐに装着されたシリンダ２とを連結する電線３２、とで構成されている。
【００２１】
符号３で総称される端末装置３の１つの、営業拠点に設置された営業拠点用端末装置３Ｂは、図５に示すように、モニター４０と、パソコン４１と、情報入出力装置４２と、情報入出力装置４２内に設けられた複数のシリンダ２Ａと、パソコン４１と情報入出力装置４２とを連結する信号線４１ａ、とで構成されている。そして、この営業拠点から特定車両例えば１号車に対しては、シリンダ２Ａ１から、出庫される商品、部品に関する数量、その他の配送情報がキー１に入力される。そして、配送時に収集された納品情報及び納品要求情報とが情報入出力装置４２に、キー１からシリンダー２Ａ１を介して入力されるように構成されている。なお、車両運行に対する最適配送ルート情報等の伝達が含まれても良い。情報入出力装置４２に備えられるシリンダー２Ａの数量は、配送管理の対象にする車両の台数と同数が必要である。
【００２２】
図６は、いわゆるＰＯＳで扱われる商品の納品場所におけるＰＯＳ用端末装置３Ｃを示している。ＰＯＳ用端末装置３Ｃは、モニター５０と、パソコン５１と、情報入出力装置５２と、情報入出力装置５２内に設けられたシリンダ２Ｂと、パソコン５１と情報入出力装置５２とを連結する信号線５１ａ、とで構成されている。そして、このＰＯＳ納入場所での商品の納品数量と、在庫不足数量等をキー１に伝達するよう構成されている。
【００２３】
図７は、自動販売機６０Ａに設けられた自動販売機用端末装置３Ｄを示している。その自動販売機用端末装置３Ｄは、明示しないパソコンチップを付設したモニター６０と、情報入出力装置６２と、その情報入出力装置６２に装着されたシリンダ２Ｃと、モニター６０のパソコンと情報入出力装置６２とを連結する信号線６０ａ、とで構成されている。そして、この自動販売機６０Ａへの商品の補充数量等の情報をキー１に伝達するよう構成されている。
【００２４】
上記のように、情報記憶装置ＫＳは、キー１と車両及び各拠点のシリンダー２、２Ｂ、２Ｃ、２Ｄが有する機能によって、出庫情報、最適配送ルート、納品情報、等をいわば移動情報収集装置として作用させることができる。
【００２５】
上記構成の情報記憶装置ＫＳの作用を、図５の営業拠点、図４の納品車両、図６のＰＯＳ納品場所、図７の自動販売機、についてそれぞれのフローチャートによって説明する。
【００２６】
営業拠点については、図５の装置構成その他を参照しながら図８に示す作業のフローチャートによって説明する。まず、営業拠点用端末装置３Ｂ内で作業プログラムが起動されると、パソコン４１に接続された情報入出力装置４２の号車別シリンダー２Ａにキー１が挿入されているかを確認する（ステップＳ１）。１号車用のシリンダ２Ａ１に１号車用のキー１が挿入されていればステップＳ２に行き、挿入がＮＯであればステップＳ１０に行く。
【００２７】
ステップＳ２では、納品処理か否かをこの拠点の担当者であるオペレータの指示によって確認する。ＹＥＳで納品処理であれば、ステップＳ３に行き、ＮＯであればステップＳ５に行く。ステップＳ３では、納品データをキー１に伝達する。即ち、シリンダ２Ａ１のデータ入出力装置２５に予め記憶された商品名、数量、配送時間等の納品情報を信号線２８、接点２８を介し、さらにキー１Ａの接点１５、データ入出力装置１２を介して、記憶装置１１に記憶させる。つぎのステップＳ４では、配送する商品等の納品情報のすべてが記憶されたかを確認する。ＹＥＳであれば、納品情報伝達の作業は終了となり、ステップＳ１０に行く。
【００２８】
一方ステップＳ２でＮＯとなったつぎのステップＳ５では、受注処理か否かを確認する。即ち、納品先からの注文処理かを確認する。ＹＥＳの受注処理であれば、ステップＳ６で、既にＰＯＳ納品場所、自動販売機から得てある発注データをキー１からシリンダ２Ａ１に移す。このステップＳ６によってキー１内の発注データは、営業所での受注データとなり、所定の処理をする。つぎのステップＳ７では、１号車の受注情報内容のすべてがシリンダ２Ａ１に記憶されたかを確認する。ＹＥＳであれば、受注情報伝達の作業は終了となり、ステップＳ１０に行く。
【００２９】
一方ステップＳ５でＮＯとなったつぎのステップＳ８では、受領書処理か否かを確認する。即ち、受領書に関する処理かを確認する。ＹＥＳであれば、ステップＳ９に行く。ＮＯであれば、ステップＳ１０に行く。
【００３０】
ステップＳ９では、既にＰＯＳ納品場所、自動販売機から得てある受領データをキー１からシリンダ２Ａ１に移す。このステップＳ９によってキー１内の受領データは、営業所での受領書関係データとなり、所定の処理をする。ついで、ステップＳ１０に行く。
【００３１】
上記のように、営業所の端末装置３Ｂがキー１とシリンダ２Ａ１との間で納品、受注、受領書に関する情報交換をする。そして、ステップＳ１０以降でつぎの号車のキー１から１号車と同様に配送情報を与え、またキー１から受注及び受領書に関する情報を得ている。
【００３２】
ステップＳ１０では、２号車のキー１が、シリンダ２Ａ２に挿入されているかを確認し、挿入されていれば、ステップＳ１１に行く。そして、ステップＳ１１において、前記のステップＳ２〜ステップＳ９と同様の作業処理をし、２号車キー１との情報交換が終了すればつぎの３号車のキー１がシリンダ２Ａ３に挿入されているかを確認し、同様の作業処理をする。
【００３３】
ステップＳ１０でキー１がシリンダ２Ａ２に挿入されていない場合は、つぎのシリンダ２Ａの確認に移る。このようにして、ステップＳ１２で管理対象車の最終号車ｎのキー１の挿入確認をし、ステップＳ１３で情報交換し、データ処理をし、さらにこの段階でキー１と情報交換されていない号車を記録して、一連の作業フローが終了する。
【００３４】
次に、車両に搭載された車両用処理装置３Ａの作用を、図４の装置構成その他を参照しながら図９に示す作業のフローチャートによって説明する。まず、ステップＳ２０では、シリンダ２にキー１が挿入されているかを確認する。キー１の挿入を確認したら、シリンダ２のアクセサリーＯＮ位置にキー１を回してプログラムを起動させる。ついで、ステップＳ２１では、ドライバが、パソコン操作パネルのボタンの状態を読み込む。そして、ステップＳ２２では、ドライバの要求する内容がキー１の記憶装置１１に記憶された内容の表示であるかを確認する。ドライバの要求通りの内容表示であれば、ステップＳ２３で記憶装置１１内の情報をモニター３０に表示させる。ステップＳ２１〜ステップＳ２３によってドライバの作業内容確認をする。そして、ステップＳ２０に戻る。
【００３５】
ステップＳ２２で、ＮＯであれば、ステップＳ２４において、記憶装置１１内の記憶内容を修正する要求か否かを確認する。修正要求がＹＥＳであれば、ステップＳ２５に、ＮＯであればステップＳ２６に行く。
【００３６】
ステップＳ２５では、操作パネルのボタンの状態を読み込みながら例えば、営業拠点で入力された配送商品コード、数量等の情報内容の記憶データを修正する。記憶データ修正が終了したらステップＳ２０に戻る。
【００３７】
ステップＳ２６では、記憶装置１１の記憶データ内容の印字要求か否かを確認する。印字要求ＹＥＳであれば、ステップＳ２７で記憶データの内容をプリンタ３１によって印字する。印字が終了したらステップＳ２０に戻る。印字要求でない場合は、ステップＳ２０に戻る。
【００３８】
上記のように、処理装置３Ａでは、キー１に記憶されたデータの確認及び必要に応じてのデータ修正、データの印字等を行って営業拠点の１部を担う役割をする。
【００３９】
次に、販売店のＰＯＳ納品場所におけるＰＯＳ用端末装置３Ｃの作用を、図６の装置構成その他を参照しながら図１０に示す作業のフローチャートによって説明する。まず、ステップＳ３０では、シリンダ２Ｂにキー１が挿入されているかを確認する。キー１の挿入を確認したら、シリンダ２ＢのアクセサリーＯＮ位置にキー１を回してプログラムを起動させる。そして、ステップＳ３１で納品データを処理するか否かオペレータの指示を確認する。納品データの処理を行う指示ＹＥＳの場合は、ステップＳ３２に行く。ＮＯの場合はステップＳ３４に行く。
【００４０】
ステップＳ３２では、納品データをキー１の記憶装置１１から出力して処理し、ついでステップＳ３３で、受領データを記憶装置１１に入力して記憶させる。ついで、ステップＳ３４で、受注処理を行うか否かオペレータの指示を確認する。受注処理がＹＥＳであれば、ステップＳ３５で、発注データを記憶装置１１に記憶させ、処理装置３Ｃの作業は終了する。ステップＳ３４での受注処理を行うことがＮＯであれば、ここで処理装置３Ｃの作業が終了する。
【００４１】
次に、飲料水等の自動販売機における自動販売機用端末装置３Ｄの作用を、図７の装置構成その他を参照しながら図１１に示す作業のフローチャートによって説明する。まず、ステップＳ４０では、シリンダ２Ｃにキー１が挿入されているか確認する。キー１の挿入を確認したら、シリンダ２ＣのアクセサリーＯＮ位置にキー１を回してプログラムを起動させる。そして、ステップＳ４１で納品データをキー１の記憶装置１１から出力させて処理し、ステップＳ４２では受領データを記憶装置１１に入力させる。ステップＳ４３では発注データを記憶装置１１に入力させる。ついでステップＳ４４では、硬貨・紙幣等の投入状況、商品の売上時間、商品名等の販売情報を記憶装置１１に記憶せ、そして作業が終了する。
【００４２】
【発明の効果】
本発明の作用効果を、以下に列挙する。
【００４３】
（１）  本発明の情報記憶装置では、車両のエンジンキーの記憶装置に配送指示情報を与え、また、配送拠点からの発注情報をエンジンキーの記憶装置に記録させることで、情報の伝達集約が正確容易に行われ、これら基本データの持運び及び扱いが容易になる。従来のような、携帯端末が不要であり、紛失の懸念が極めて少ない。
【００４４】
（２）  受電接点と送電接点を電磁結合にすれば、接触端子の不良による送電停止や電圧変動、ノイズ混入等が避けられる。また、エンジンキーに装着されたデータ入出力接点とキーシリンダに装着されたデータ入出力接点とを光結合によって交信させれば、交信密度が高く、多量のデータが交信できる。
【００４５】
（３）  車両に装着されたキーシリンダと、車両に設けられたモニター付きパソコンと、そのパソコンに付設されたプリンタと、前記パソコンとキーシリンダを連結する電線、とで車両処理装置を構成すれば、車両用処理装置でエンジンキー内の情報の内容確認、データ修正等が車両内で行える。
【００４６】
（４）  キーシリンダを複数個装着された情報入出力装置と、モニター付きパソコンと、そのパソコンを前記情報入出力装置に連結する電線、とで営業拠点用端末装置を構成すれば、営業拠点で管理される車両台数分のエンジンキーに予め準備された配送情報を与え、また配送先からの受注情報をエンジンキーから自動的に収集できる。
【００４７】
（５）  キーシリンダが装着された情報入出力装置と、モニター付きパソコンと、そのパソコンとキーシリンダを連結する電線、とでＰＯＳ用端末装置を構成すれば、販売店で使用されるＰＯＳ情報をエンジンキーに記録させて営業情報とすることができる。
【００４８】
（６）  キーシリンダが装着された情報入出力装置と、モニター付きパソコンと、そのパソコンとキーシリンダを連結する電線、とで自動販売機用端末装置を構成し、その自動販売機用端末装置を自動販売機に内蔵させれば、不足商品の発注データ記録、硬貨・紙幣等の投入状況、商品の売上げ時間、商品名等の販売情報を把握できる。
【図面の簡単な説明】
【図１】本発明の実施形態を示す情報記憶装置と関連の端末装置のブロック構成図。
【図２】図１のキーを示すブロック構成図。
【図３】図１のシリンダを示すブロック構成図。
【図４】車両用処理装置を示すブロック構成図。
【図５】営業拠点用端末装置を示すブロック構成図。
【図６】ＰＯＳ用端末装置を示すブロック構成図。
【図７】自動販売機用端末装置を示すブロック構成図。
【図８】営業拠点用端末装置の作用を示すフローチャート図。
【図９】車両用処理装置の作用を示すフローチャート図。
【図１０】ＰＯＳ用端末装置の作用を示すフローチャート図。
【図１１】自動販売機用端末装置の作用を示すフローチャート図。
【符号の説明】
ＫＳ・・情報記憶装置
１・・・キー
２、２Ｂ、２Ｃ、２Ｄ・・シリンダ
３・・・端末装置の総称
３Ｂ・・拠点用端末装置
３Ｃ・・ＰＯＳ用端末装置
３Ｄ・・自動販売機用端末装置
４・・・車両用処理装置
１０・・電力安定装置
１０ａ、１０ｂ、１３ａ、１４ａ・・送電線
１１・・記憶装置
１２ａ、１５ａ・・信号線
１２・・データ入出力装置
１３・・接点
１４・・接地用接点
１５・・接点
１６・・バッテリ
１８・・ヘッド部
１９・・挿入部
２４・・電力供給装置
２５・・データ入出力装置
２６、２７、２８・・接点
２６ａ、２７ａ・・送電線
２８ａ・・信号線
【図１】
0004144963.tif 000002
【図２】
0004144963.tif 000003
【図３】
0004144963.tif 000004
【図４】
0004144963.tif 000005
【図５】
0004144963.tif 000006
【図６】
0004144963.tif 000007
【図７】
0004144963.tif 000008
【図８】
0004144963.tif 000009
【図９】
0004144963.tif 000010
【図１０】
0004144963.tif 000011
【図１１】
0004144963.tif 000012